(57)【要約】  節水洗濯機および制御方法において、前記洗濯機は洗濯槽および外槽（１）を含み、外槽の排水口（２）と外槽の給水口（３）との間に循環管路が設置され、前記循環管路に排水ポンプ（４）および主ろ過器（５）が設けられる。前記循環管路にさらに前置ろ過器（６）が設置され、前置ろ過器（６）は排水ポンプ（４）と主ろ過器（５）との間に位置し、前置ろ過器（６）のフィルタの緻密度は主ろ過器のフィルタの緻密度より低い。大きい顆粒の異物が主ろ過器（５）に進入して、主ろ過器（５）が壊れるのを防止し、主ろ過器（５）の使用寿命および使用効果を高めることができる。洗濯、すすぎ過程の洗濯槽内の水を浄水の状態にし、衣類を常に浄水中で洗濯し、ユーザの感覚器官および心理面が向上する。ろ過器を洗浄して、ろ過器の詰まりを防止し、ろ過器の使用寿命を延長させ、異物が多すぎてろ過器のろ過効果が不良になる、または使用することができなくなるのを防止し、メンテナンスコストを低下させる。【選択図】図１
2017502736.tif 000002
【特許請求の範囲】
【請求項１】
洗濯槽および外槽を含み、外槽の排水口と外槽の給水口との間に循環管路が設置され、前記循環管路に排水ポンプおよび主ろ過器が設けられる節水洗濯機であって、前記循環管路にさらに前置ろ過器が設置され、前置ろ過器が排水ポンプと主ろ過器との間に位置し、前置ろ過器のフィルタの緻密度が主ろ過器のフィルタの緻密度より低いことを特徴とする、節水洗濯機。
【請求項２】
前記前置ろ過器のフィルタの前部に排水ポンプと通じる第１入口が設置され、前記主ろ過器のフィルタの前部に第２入口が設置され、前記前置ろ過器のフィルタの前部に第１出口が設置され、フィルタの後部に第２出口が設置され、前記主ろ過器のフィルタの前部に第３出口が設置され、フィルタの後部に第４出口が設置され、第２出口が第２入口と通じ、第４出口が洗濯槽の給水口と通じ、第１出口および第３出口がそれぞれ洗濯機排水管と通じることを特徴とする、請求項１に記載の節水洗濯機。
【請求項３】
前記前置ろ過器に第３入口が設けられ、該第３入口が管路を介して空気ポンプに接続され、空気ポンプと第３入口との間の管路に、気流が空気ポンプから前置ろ過器に流れるのを制御するチェックバルブがさらに設けられることを特徴とする、請求項１または２に記載の節水洗濯機。
【請求項４】
前記前置ろ過器にエアレーション装置が設置され、前記エアレーション装置が第３入口とフィルタとの間に位置し、該エアレーション装置が前置ろ過器の断面形状と相応する平板であり、該平板に複数の通気孔が均等に設けられることを特徴とする、請求項３に記載の節水洗濯機。
【請求項５】
前記前置ろ過器および主ろ過器の入口が下部に位置し、出口が上部に位置し、前記主ろ過器のフィルタの孔径範囲が０．００１〜０．１μｍ、好ましくは０．０１〜０．１μｍであり、前記主ろ過器が好ましくは外圧式限外ろ過膜であり、前記前置ろ過器のフィルタの孔径範囲が１０〜３００μｍであることを特徴とする、請求項１に記載の節水洗濯機。
【請求項６】
前記第１出口と洗濯機排水管との間の管路に第１バルブが設置され、前記第３出口と洗濯機排水管との間の管路に第２バルブが設置され、前記第１バルブおよび第２バルブが好ましくは電動切替ボールバルブであることを特徴とする、請求項１に記載の節水洗濯機。
【請求項７】
洗濯および／またはすすぎ過程に、循環ろ過工程を増やし、具体的には、排水ポンプが作動し、洗濯水またはすすぎ水を排水ポンプにより前置ろ過器まで吸引してフィルタにより初期ろ過を行い、さらに主ろ過器まで吸引してフィルタにより高度ろ過を行い、水中の小さい顆粒の異物を前置ろ過器および主ろ過器によりろ過して除くことができ、ろ過後の水流は外槽の給水口から外槽に戻り、再び洗濯またはすすぎに関わることを特徴とする、請求項１〜６のいずれか１項に記載の節水洗濯機の制御方法。
【請求項８】
前記循環ろ過工程が、前置ろ過器および／または主ろ過器の中間洗浄過程を少なくとも１回含み、前記中間洗浄過程が、前置ろ過器および／または主ろ過器に気体を通し、気泡の運動、破裂または振動により、前置ろ過器および／または主ろ過器のフィルタを洗浄する気体洗浄過程、および／または、前置ろ過器および／または主ろ過器のフィルタの前部に水流を通し、フィルタの前部から水流を排出し、水流が洗い流すことにより前置ろ過器および／または主ろ過器のフィルタ上の異物を除去する水洗浄過程を含むことを特徴とする、請求項７に記載の制御方法。
【請求項９】
空気ポンプの作動、停止およびバルブの開閉を制御することにより、前置ろ過器および主ろ過器を、それぞれまたは同時に気体洗浄および水洗浄するように制御し、具体的には、
空気ポンプが作動し、第２バルブが開き、前置ろ過器および主ろ過器を同時に気体洗浄し、１０秒〜１２０秒続け、空気ポンプが停止し、第２バルブが閉じ、排水ポンプが作動し、第１バルブが開き、前置ろ過器を水洗浄し、５秒〜２０秒続け、第１バルブが閉じ、第２バルブが開き、主ろ過器を水洗浄し、１０秒〜６０秒続ける；
または、空気ポンプが作動し、第１バルブが開き、前置ろ過器を気体洗浄し、１０秒〜１２０秒続け、空気ポンプが停止し、排水ポンプが作動し、前置ろ過器を水洗浄し、５秒〜２０秒続け、排水ポンプが停止し、第１バルブが閉じ、空気ポンプが作動し、第２バルブが開き、主ろ過器を気体洗浄し、１０秒〜６０秒続け、空気ポンプが停止し、排水ポンプが作動し、主ろ過器を水洗浄し、１０秒〜６０秒続ける；
または、空気ポンプが作動し、第１バルブが開き、前置ろ過器を気体洗浄し、１０秒〜１２０秒続け、空気ポンプが停止し、排水ポンプが作動し、前置ろ過器を水洗浄し、５秒〜２０秒続け、排水ポンプが停止し、第１バルブが閉じ、空気ポンプが作動し、主ろ過器を気体洗浄し、主ろ過器内部の水流が第２入口から排出され、５秒〜２０秒続けると、主ろ過器内部の水流がすべて押し出され、第２バルブが開き、水流が主ろ過器に戻り、１０秒〜６０秒続け、第２バルブは開閉を数回繰り返すことができる；
さらにまたは、空気ポンプが作動し、第２バルブが開き、前置ろ過器および主ろ過器を同時に気体洗浄し、１０秒〜１２０秒続け、第２バルブが閉じ、前置ろ過器および主ろ過器内部の水流は底部から排出され、５秒〜２０秒続けると、水流はすべて押し出され、第２バルブが開き、水流が主ろ過器に戻り、１０秒〜６０秒続け、第２バルブは開閉を数回繰り返すことができ、空気ポンプが停止し、第２バルブが閉じ、排水ポンプが作動し、第１バルブが開き、前置ろ過器を水洗浄し、５秒〜２０秒続け、第１バルブが閉じ、第２バルブが開き、主ろ過器を水洗浄し、１０秒〜６０秒続ける；ことを特徴とする請求項８に記載の制御方法。
【請求項１０】
前記洗濯槽内に、内部の洗濯水またはすすぎ水の濁度をリアルタイム測定する濁度測定装置が設けられ、濁度が設定値以下のとき、循環ろ過プログラムが起動し、そうでなければ循環ろ過プログラムが起動しないことを特徴とする、請求項７に記載の制御方法。
【請求項１１】
前記前置ろ過器に第１入口および第２出口がそれぞれ設置され、主ろ過器に第２入口および第４出口がそれぞれ設置され、第１入口が排水ポンプに接続され、第２出口が第２入口に接続され、第４出口が外槽の給水口に接続され、前記第１入口が排水ポンプおよび前置ろ過器のフィルタ内部と通じ、第２出口および第２入口がそれぞれ、前置ろ過器のフィルタ外部および主ろ過器のフィルタ外部と通じ、第４出口が主ろ過器のフィルタ内部および洗濯槽の内部と通じ、前記前置ろ過器および主ろ過器が一体化設計であり、前置ろ過器の第２出口が主ろ過器の第２入口と通じることを特徴とする、請求項１に記載の節水洗濯機。
【請求項１２】
前記前置ろ過器が上端カバーおよび下端カバーを含み、フィルタが上端カバーと下端カバーとの間に設置され、前記上端カバーが主ろ過器の底部と一緒に接続され、前記第２出口が上端カバーに複数含み、かつ均等に設置され、第１入口が下端カバーに設置され、第２入口が主ろ過器の底部に設置され、前記第２出口が管路を経ずに接続されて、直接第２入口に通じることを特徴とする、請求項１１に記載の節水洗濯機。
【請求項１３】
前記前置ろ過器に、洗濯機排水管に接続される第１出口がさらに設置され、前記主ろ過器に、洗濯機排水管に接続される第３出口が設置され、前記第１出口が前置ろ過器のフィルタ内部および洗濯機排水管と通じ、第３出口が主ろ過器のフィルタ外部および洗濯機排水管と通じることを特徴とする、請求項１１に記載の節水洗濯機。
【請求項１４】
前記循環管路に切替バルブが設置され、切替バルブがそれぞれ第１出口、第３出口、および洗濯機排水管と通じ、前記切替バルブが、第１出口と洗濯機排水管の出口との間に形成される前置ろ過器の汚水排出通路、ならびに第３出口と洗濯機排水管の出口との間に形成される主ろ過器の汚水排出通路をそれぞれ開く／閉じることができ、好ましくは前記切替バルブがボールバルブであり、前記ボールバルブ内部に複数の通路が設置されることを特徴とする、請求項１３に記載の節水洗濯機。
【請求項１５】
前記外槽に噴射口がさらに設置され、前記切替バルブが噴射口とも接続され、前記切替バルブが、第１出口と噴射口との間に形成される噴射通路を開く／閉じることができることを特徴とする、請求項１４に記載の節水洗濯機。
【請求項１６】
前記前置ろ過器の第１入口部分に汚水が逆流するのを防止することができる逆流防止装置が設置され、好ましくは、前記逆流防止装置は逆流防止ボールであり、逆流防止ボールの直径が第１入口の直径より大きく、逆流防止ボールの密度が水の密度より大きく、好ましくは逆流防止ボールの密度が水の密度の１〜１．５倍であることを特徴とする、請求項１１に記載の節水洗濯機。
【発明の詳細な説明】
【技術分野】
【０００１】
本発明は洗濯機分野に関し、特に節水洗濯機および制御方法に関する。
【背景技術】
【０００２】
人々の生活水準の向上に伴い、洗濯機は家庭で必須の家電の１つとなっており、大多数の人にとって、洗濯機は衣服を洗濯する主要な機器である。環境の悪化、水系の汚染に伴い、きれいな水資源は次第に不足しており、いかにして衣類を洗浄するのと同時に、節水節電を行うかということは、常に消費者が関心を寄せる焦点の１つである。
【０００３】
洗濯機の衣類洗浄過程は、主に洗濯、すすぎ、脱水の数段階を含み、洗濯段階で洗濯機は給水し、洗剤で衣類を洗濯する。すすぎ段階に入ると、汚れおよび残った洗剤を洗い落とすために、より多くの水を給水するか、またはすすぎ回数をより多くして衣類をすすぐ必要があり、これは必然的に大量の水資源を消費する。たとえ節水のドラム式洗濯機であっても、衣類をすすぐために、少なくとも２回すすぐ必要があり、この過程は少なくとも３０Ｌ以上の水道水を消費する。時には、衣類の汚れが比較的少ないか、または投入する洗剤が比較的少なく、２回できれいにすすぐことができるが、ユーザが３回のすすぎを選択することにより、必然的に水資源の浪費が引き起こされる。節水および洗浄率に問題がないかを考慮することは、１つの重要な課題である。
【０００４】
現在、洗濯機の洗濯、すすぎ時は常に槽内の同じ水を使用しており、衣類は常に汚れた水で洗濯され、感覚器官および心理面でよくない。
【０００５】
中国特許番号００２３１１７６．３号は、節水洗濯機を開示している。これは筐体を有する水ろ過器が設けられ、水ろ過浄化装置の給水口は洗濯槽の出水口とつながる。水ろ過浄化装置の後端は出水装置とつながり、出水装置のもう一端は洗濯槽とつながり、出水装置は水ポンプおよび出入管を含む。水の循環利用により節水の目的を実現することができるが、上記特許には１つのろ過器しか設置されておらず、ろ過器は詰まりやすく、また洗い流すシステムが無い。ろ過器が詰まった場合、交換する必要があり、コストが増加し、使用に影響を及ぼす。
【０００６】
このことを考慮して、本発明を示す。
【先行技術文献】
【特許文献】
【０００７】
【特許文献１】中国特許番号００２３１１７６．３号
【発明の概要】
【発明が解決しようとする課題】
【０００８】
本発明の目的は、既存技術の不足を克服し、節水洗濯機および制御方法を提供することである。主ろ過器の前に前置ろ過器を増やすことができ、大きい顆粒の異物が主ろ過器に進入して、主ろ過器が壊れるのを防止することができ、主ろ過器の使用寿命および使用効果を高めることができる。洗濯、すすぎ過程の洗濯槽内の水を浄水の状態にし、衣類を常に浄水中で洗濯し、ユーザの感覚器官および心理面が向上する。ろ過器を洗浄して、ろ過器の詰まりを防止し、ろ過器の使用寿命を延長させ、異物が多すぎてろ過器のろ過効果が不良になる、または使用することができなくなるのを防止し、メンテナンスコストを低下させる。空気ポンプの作動、停止およびバルブの開閉を制御することにより、前置ろ過器および主ろ過器を、それぞれまたは同時に気体洗浄および水洗浄するように制御する。洗浄の効率を高め、また制御が簡単で実行しやすい。
【課題を解決するための手段】
【０００９】
該目的を実現するため、本発明は以下の技術案を採用する。節水洗濯機は洗濯槽および外槽を含み、外槽の排水口と外槽の給水口との間に循環管路が設置され、前記循環管路に排水ポンプおよび主ろ過器が設けられる。前記循環管路にさらに前置ろ過器が設置され、前置ろ過器は排水ポンプと主ろ過器との間に位置し、前置ろ過器のフィルタの緻密度は主ろ過器のフィルタの緻密度より低い。
【００１０】
前記前置ろ過器のフィルタの前部に排水ポンプと通じる第１入口が設置され、前記主ろ過器のフィルタの前部に第２入口が設置される。前記前置ろ過器のフィルタの前部に第１出口が設置され、フィルタの後部に第２出口が設置される。前記主ろ過器のフィルタの前部に第３出口が設置され、フィルタの後部に第４出口が設置される。第２出口が第２入口と通じ、第４出口が洗濯槽の給水口と通じ、第１出口および第３出口はそれぞれ洗濯機排水管と通じる。
【００１１】
前記前置ろ過器に第３入口が設けられ、該第３入口は管路を介して空気ポンプに接続される。空気ポンプと第３入口との間の管路に、気流が空気ポンプから前置ろ過器に流れるのを制御するチェックバルブがさらに設けられる。
【００１２】
前記前置ろ過器にエアレーション装置が設置され、前記エアレーション装置は第３入口とフィルタとの間に位置する。該エアレーション装置は前置ろ過器の断面形状と相応する平板であり、該平板に複数の通気孔が均等に設けられる。
【００１３】
前記前置ろ過器および主ろ過器の入口は下部に位置し、出口は上部に位置する。前記主ろ過器のフィルタの孔径範囲は０．００１〜０．１μｍ、好ましくは０．０１〜０．１μｍであり、前記主ろ過器は好ましくは外圧式限外ろ過膜である。前記前置ろ過器のフィルタの孔径範囲は１０〜３００μｍである。
【００１４】
前記第１出口と洗濯機排水管との間の管路に第１バルブが設置され、前記第３出口と洗濯機排水管との間の管路に第２バルブが設置される。前記第１バルブおよび第２バルブは、好ましくは電動切替ボールバルブである。
【００１５】
節水洗濯機の制御方法について、洗濯および／またはすすぎ過程に、循環ろ過工程を増やす。具体的には、排水ポンプが作動し、洗濯水またはすすぎ水を排水ポンプにより前置ろ過器まで吸引してフィルタにより初期ろ過を行う。さらに主ろ過器まで吸引してフィルタにより高度ろ過を行う。水中の小さい顆粒の異物を前置ろ過器および主ろ過器によりろ過して除くことができ、ろ過後の水流は外槽の給水口から外槽に戻り、再び洗濯またはすすぎに関わる。
【００１６】
前記循環ろ過工程は、前置ろ過器および／または主ろ過器の中間洗浄過程を少なくとも１回含む。前記中間洗浄過程は、前置ろ過器および／または主ろ過器に気体を通し、気泡の運動、破裂または振動により、前置ろ過器および／または主ろ過器のフィルタを洗浄する気体洗浄過程、および／または、前置ろ過器および／または主ろ過器のフィルタの前部に水流を通し、フィルタの前部から水流を排出し、水流が洗い流すことにより、前置ろ過器および／または主ろ過器のフィルタ上の異物を除去する水洗浄過程を含む。
【００１７】
空気ポンプの作動、停止およびバルブの開閉を制御することにより、前置ろ過器および主ろ過器を、それぞれまたは同時に気体洗浄および水洗浄するように制御する。具体的には、
空気ポンプが作動し、第２バルブが開き、前置ろ過器および主ろ過器を同時に気体洗浄し、１０秒〜１２０秒続ける。空気ポンプが停止し、第２バルブが閉じ、排水ポンプが作動し、第１バルブが開き、前置ろ過器を水洗浄し、５秒〜２０秒続ける。第１バルブが閉じ、第２バルブが開き、主ろ過器を水洗浄し、１０秒〜６０秒続ける。
または、空気ポンプが作動し、第１バルブが開き、前置ろ過器を気体洗浄し、１０秒〜１２０秒続ける。空気ポンプが停止し、排水ポンプが作動し、前置ろ過器を水洗浄し、５秒〜２０秒続ける。排水ポンプが停止し、第１バルブが閉じ、空気ポンプが作動し、第２バルブが開き、主ろ過器を気体洗浄し、１０秒〜６０秒続ける。空気ポンプが停止し、排水ポンプが作動し、主ろ過器を水洗浄し、１０秒〜６０秒続ける。
または、空気ポンプが作動し、第１バルブが開き、前置ろ過器を気体洗浄し、１０秒〜１２０秒続ける。空気ポンプが停止し、排水ポンプが作動し、前置ろ過器を水洗浄し、５秒〜２０秒続ける。排水ポンプが停止し、第１バルブが閉じ、空気ポンプが作動し、主ろ過器を気体洗浄する。主ろ過器内部の水流は第２入口から排出され、５秒〜２０秒続けると、主ろ過器内部の水流はすべて押し出される。第２バルブが開き、水流は主ろ過器に戻り、１０秒〜６０秒続ける。第２バルブは開閉を数回繰り返すことができる。
さらにまたは、空気ポンプが作動し、第２バルブが開き、前置ろ過器および主ろ過器を同時に気体洗浄し、１０秒〜１２０秒続ける。第２バルブが閉じ、前置ろ過器および主ろ過器内部の水流は底部から排出され、５秒〜２０秒続けると、水流はすべて押し出される。第２バルブが開き、水流は主ろ過器に戻り、１０秒〜６０秒続ける。第２バルブは開閉を数回繰り返すことができる。空気ポンプが停止し、第２バルブが閉じ、排水ポンプが作動し、第１バルブが開き、前置ろ過器を水洗浄し、５秒〜２０秒続ける。第１バルブが閉じ、第２バルブが開き、主ろ過器を水洗浄し、１０秒〜６０秒続ける。
【００１８】
前記洗濯槽内に、内部の洗濯水またはすすぎ水の濁度をリアルタイム測定する濁度測定装置が設けられる。濁度が設定値以下のとき、循環ろ過プログラムを起動することができ、そうでなければ、循環ろ過プログラムは起動しない。
【００１９】
前記洗濯槽内に、内部の洗濯水またはすすぎ水の濁度をリアルタイム測定する濁度測定装置が設けられる。濁度が設定値以下のとき、循環ろ過プログラムが起動し、そうでなければ、循環ろ過プログラムは起動しない。
【００２０】
本発明の節水洗濯機は一体化の構造設計を採用しており、具体的に、以下の技術案を含む。
一体化の構造設計を採用した節水洗濯機において、前記前置ろ過器に第１入口および第２出口がそれぞれ設置され、主ろ過器に第２入口および第４出口がそれぞれ設置される。第１入口は排水ポンプに接続され、第２出口は第２入口に接続され、第４出口は外槽の給水口に接続される。前記第１入口は排水ポンプおよび前置ろ過器のフィルタ内部と通じ、第２出口および第２入口はそれぞれ、前置ろ過器のフィルタ外部および主ろ過器のフィルタ外部と通じ、第４出口は主ろ過器のフィルタ内部および洗濯槽の内部と通じる。前記前置ろ過器および主ろ過器は一体化設計であり、前置ろ過器の第２出口は主ろ過器の第２入口と通じる。
【００２１】
さらに、前記前置ろ過器は上端カバーおよび下端カバーを含み、フィルタは上端カバーと下端カバーとの間に設置される。前記上端カバーは主ろ過器の底部と一緒に接続され、前記第２出口は上端カバーに複数含み、かつ均等に設置される。第１入口は下端カバーに設置され、第２入口は主ろ過器の底部に設置される。前記第２出口は管路を経過せずに接続されて、直接第２入口に通じる。
【００２２】
さらに、前記前置ろ過器に、洗濯機排水管に接続される第１出口がさらに設置され、前記主ろ過器に、洗濯機排水管に接続される第３出口が設置される。前記第１出口は前置ろ過器のフィルタ内部および洗濯機排水管と通じ、第３出口は主ろ過器のフィルタ外部および洗濯機排水管と通じる。
【００２３】
さらに、前記循環管路に切替バルブが設置され、切替バルブはそれぞれ第１出口、第３出口および洗濯機排水管と通じる。前記切替バルブは、第１出口と洗濯機排水管の出口との間に形成される前置ろ過器の汚水排出通路、ならびに第３出口と洗濯機排水管の出口との間に形成される主ろ過器の汚水排水通路をそれぞれ開く／閉じることができる。好ましくは、前記切替バルブはボールバルブであり、前記ボールバルブ内部に複数の通路が設置される。
【００２４】
さらに、前記外槽に噴射口がさらに設置され、前記切替バルブは噴射口とも接続される。前記切替バルブは、第１出口と噴射口との間に形成される噴射通路を開く／閉じることができる。
【００２５】
さらに、前記前置ろ過器の第１入口部分に、汚水が逆流するのを防止することができる逆流防止装置が設置される。好ましくは、前記逆流防止装置は逆流防止ボールであり、逆流防止ボールの直径は第１入口の直径より大きい。逆流防止ボールの密度は水の密度より大きく、好ましくは、逆流防止ボールの密度は水の密度の１〜１．５倍である。
【発明の効果】
【００２６】
本発明の前記技術案を採用すると、以下の有益な効果がもたらされる。
１、本発明は主ろ過器の前に前置ろ過器を増やすことができ、前置ろ過器により初期ろ過を行ってから、主ろ過器によりさらなるろ過を行う。大きい顆粒の異物が主ろ過器に進入して、主ろ過器が壊れるのを防止し、主ろ過器の使用寿命および使用効果を高めることができる。
【００２７】
２、本発明の前記節水洗濯機は、洗濯、すすぎ過程の洗濯槽内の水を浄水の状態にし、衣類を常に浄水中で洗濯し、ユーザの感覚器官および心理面が向上する。
【００２８】
３、本発明では、循環ろ過過程に洗浄過程を増やす。ろ過器を洗浄し、ろ過器の詰まりを防止することができ、ろ過器の使用寿命を延長させる。異物が多すぎてろ過効果が不良になる、またはろ過器を使用することができなくなるのを防止し、メンテナスコストを低下させる。
【００２９】
４、本発明では、空気ポンプの作動、停止およびバルブの開閉を制御することにより、前置ろ過器および主ろ過器を、それぞれまたは同時に気体洗浄および水洗浄するように制御する。洗浄の効率を高め、また制御が簡単で実行しやすい。
【００３０】
５、一般のろ過器は一定時間使用すると、ろ過膜が異物で詰まるため、一定時間後、ろ過膜を交換する必要がある。本発明では洗い流す工程を増やし、ろ過膜に対して、水洗浄および気体洗浄を組み合わせた洗浄工程を行う。ろ過膜を洗浄して、交換頻度を低下させ、ろ過膜の使用寿命を延長させ、洗濯機のメンテナンス頻度およびメンテナンスコストを低下させる。
【００３１】
６、本発明の節水洗濯機の前置ろ過器および主ろ過器は、一体化の構造設計を採用する。前置ろ過器および主ろ過器を１つの統合体に設計し、占用空間を大幅に減少させただけでなく、管路をさらに使用して前置ろ過器および主ろ過器を接続する必要はない。このように一方では管路を節約し、コストを低下させることができ、もう一方では取付過程を簡略化し、動作効率を上昇させた。
【００３２】
７、本発明の節水洗濯機の前置ろ過器および主ろ過器は、一体化の構造設計を採用しており、これにより前置ろ過器の第２出口と主ろ過器の第２入口が直接重なり合い、管路による接続を必要としない。このように前置ろ過器および主ろ過器を気体洗浄するとき、空気ポンプから生じる気流が接続管路中で減衰し、フィルタに対する清浄効果が不良になる問題を効果的に解決することができる。
【００３３】
８、本発明の節水洗濯機は複数の通路を有する１つの切替バルブを採用し、第１出口、第３出口、第４出口、外槽の給水口、外槽の噴射口、および洗濯機排水管を接続する。切替バルブを制御することにより、様々な通路の開／閉を実現し、取付空間および組立過程を減少させた。また制御しやすく、組立コストおよび制御回路のコストを節約した。
【００３４】
以下、図を組み合わせて、本発明の具体的実施方式について、さらに詳細に記載する。
【図面の簡単な説明】
【００３５】
【図１】図１は、本発明の節水洗濯機の構造概要図である。
【図２】図２は、本発明の前置ろ過器の構造図である。
【図３】図３は、本発明の前置ろ過器の断面図である。
【図４】図４は、本発明のエアレーション装置の構造図である。
【図５】図５は、本発明の一実施例の洗浄フローチャートである。
【図６】図６は、本発明の別の実施例の洗浄フローチャートである。
【図７】図７は、本発明の別の実施例の洗浄フローチャートである。
【図８】図８は、本発明の別の実施例の洗浄フローチャートである。
【図９】図９は、本発明における前置ろ過器および主ろ過器の一体化モジュールの立体構造の概要図である。
【図１０】図１０は、本発明における前置ろ過器および主ろ過器の一体化モジュールの断面図である。
【図１１】図１１は、本発明の洗濯機における一実施例の動作フローチャートである。
【発明を実施するための形態】
【００３６】
図１に示すように、本発明の前記節水洗濯機は、洗濯槽および外槽１を含み、外槽の排水口２と外槽の給水口３との間に循環管路が設置される。前記循環管路に排水ポンプ４および主ろ過器５が設けられ、前記循環管路に前置ろ過器６がさらに設置される。前置ろ過器６は排水ポンプ４と主ろ過器５との間に位置し、排水ポンプ４、前置ろ過器６および主ろ過器５は順番に接続され、また前置ろ過器のフィルタ１７の緻密度は主ろ過器のフィルタの緻密度より低い。このように設置する目的は、水流が前置ろ過器６を通過してから主ろ過器５を経過し、前置ろ過器６が水流中の直径が比較的大きい顆粒の異物をろ過して除いてから、主ろ過器５が水中の直径が小さい顆粒の異物をろ過し、大きい顆粒の異物が主ろ過器５に進入して、主ろ過器５が壊れるのを防止するためである。主ろ過器５の使用寿命および使用効果を高め、メンテナンス頻度を低下させ、メンテナンスコストを低下させる。
【００３７】
各構造間の接続関係は次の通りである。前置ろ過器６のフィルタ１７の前部に排水ポンプ４と通じる第１入口７が設置され、前記主ろ過器のフィルタの前部に第２入口８が設置される。前記前置ろ過器６のフィルタ１７の前部に第１出口９が設置され、フィルタ１７の後部に第２出口１０が設置される。前記主ろ過器５のフィルタの前部に第３出口１１が設置され、フィルタの後部に第４出口１２が設置される。第２出口１０は第２入口８と通じ、第４出口１２は外槽の給水口３と通じ、第１出口９および第３出口１１は、それぞれ洗濯機排水管２６と通じる。
【００３８】
前置ろ過器６に第３入口１３が設けられ、該第３入口１３は管路を介して空気ポンプ１４に接続される。空気ポンプ１４と第３入口１３との間の管路に、気流が空気ポンプ１４から前置ろ過器６に流れるのを制御するチェックバルブ１５がさらに設けられる。
【００３９】
前置ろ過器６にエアレーション装置１６が設置され、前記エアレーション装置１６は第３入口１３とフィルタ１７との間に位置する。該エアレーション装置１６は前置ろ過器６の断面形状と相応する平板であり、該平板に複数の通気孔２５が均等に設けられる。エアレーション装置１６は、空気ポンプ１４から送られる気体をフィルタ１７の周囲に均等に分布させることができ、フィルタを徹底的に洗浄し、死角がない。
【００４０】
前置ろ過器６および主ろ過器５の入口は下部に位置し、出口は上部に位置する。気体および水流は下から上に運動し、洗浄効果はより良好である。前記主ろ過器５のフィルタの孔径範囲は０．００１〜０．１μｍ、好ましくは０．０１〜０．１μｍであり、前記主ろ過器５は好ましくは外圧式限外ろ過膜である。前記前置ろ過器６のフィルタ１７の孔径範囲は１０〜３００μｍであり、前置ろ過器のフィルタの孔径は比較的大きく、水流の予備的なろ過のみを行う。
【００４１】
主ろ過器５のフィルタの孔径が０．０１μｍより小さいとき、ろ過して水中に溶解した粉末洗剤または洗濯液とすることができる。このような状況で洗濯を行うとき、循環ろ過プログラムを起動することができず、すすぎ過程で循環ろ過プログラムを起動することができる。水中に溶解した粉末洗剤および洗濯液をすすぎ、これをろ過した後、洗濯槽に流入させて再びすすぎを行う。このように、すすぎながら水中に溶解していない粉末洗剤をろ過することができ、すすぎに必要な時間を短縮し、すすぎに必要な水量を減少させ、また、きれいにすすぐ。
【００４２】
主ろ過器５のフィルタの孔径が０．０１μｍより大きいとき、ろ過して水中における小さい顆粒の異物（フィルタの直径より小さい顆粒の異物）とすることができるが、水中に溶解した異物をろ過して除くことはできない。このような状況で洗濯およびすすぎを行うときは、いずれも循環ろ過プログラムを起動することができる。
【００４３】
主ろ過器のフィルタの直径が小さいほど、ろ過の効果は良好であるが、詰まりやすくなる。しかし主ろ過器のフィルタの直径が大きすぎると、水中の小さい顆粒の異物をろ過して除くことはできなくなる。そのため主ろ過器のフィルタの直径を合理的に設定するべきであり、好ましくは０．０１〜０．１μｍである。
【００４４】
第１出口９と洗濯機排水管２６との間の管路に第１バルブ１８が設置され、前記第３出口１１と洗濯機排水管２６との間の管路に第２バルブ１９が設置される。前記第１バルブ１８および第２バルブ１９は、好ましくは電動切替ボールバルブであり、バルブの開閉により、管路の開放、遮断を制御する。
【００４５】
洗濯および／またはすすぎ過程に、循環ろ過工程を増やす。具体的には、排水ポンプが作動し、洗濯水またはすすぎ水を排水ポンプにより前置ろ過器まで吸引してフィルタにより初期ろ過を行う。さらに主ろ過器まで吸引してフィルタにより高度ろ過を行う。水中の小さい顆粒の異物を前置ろ過器および主ろ過器によりろ過して除くことができ、ろ過後の水流は外槽の給水口から外槽に戻り、再び洗濯またはすすぎに関わる。洗濯、すすぎ過程の洗濯槽内の水は浄水状態にあり、衣類を常に浄水中で洗濯し、ユーザの感覚器官および心理面が向上する。
【００４６】
循環ろ過工程は、前置ろ過器および／または主ろ過器の中間洗浄過程を少なくとも１回含む。前記中間洗浄過程は、前置ろ過器および／または主ろ過器に気体を通し、気泡の運動、破裂または振動により、前置ろ過器および／または主ろ過器のフィルタを洗浄する気体洗浄過程、および／または、前置ろ過器および／または主ろ過器のフィルタの前部に水流を通し、フィルタの前部から水流を排出し、水流が洗い流すことにより、前置ろ過器および／または主ろ過器のフィルタ上の異物を除去する水洗浄過程を含む。循環ろ過過程に洗浄過程を増やし、ろ過器を洗浄して、ろ過器の詰まりを防止し、ろ過器の使用寿命を延長させることができる。異物が多すぎてろ過効果が不良になる、またはろ過器を使用することができなくなるのを防止し、メンテナンスコストを低下させ、メンテナンス頻度を低下させる。
【００４７】
一般のろ過器は一定時間使用すると、ろ過膜が異物で詰まることがあるため、一定時間後、ろ過膜を交換する必要がある。本発明では洗い流す工程を増やし、ろ過膜に対して水洗浄および気体洗浄を組み合わせた洗浄工程を行う。ろ過膜を洗浄して、交換の頻度を低下させ、ろ過膜の使用寿命を延長させ、洗濯機のメンテナンス頻度およびメンテナンスコストを低下させることもできる。本発明では、空気ポンプの作動、停止およびバルブの開閉を制御することにより、前置ろ過器および主ろ過器を、それぞれまたは同時に気体洗浄および水洗浄するように制御する。具体的には、
空気ポンプが作動し、第２バルブが開き、前置ろ過器および主ろ過器を同時に気体洗浄し、１０秒〜１２０秒続ける。空気ポンプが停止し、第２バルブが閉じ、排水ポンプが作動し、第１バルブが開き、前置ろ過器を水洗浄し、５秒〜２０秒続ける。第１バルブが閉じ、第２バルブが開き、主ろ過器を水洗浄し、１０秒〜６０秒続ける。
または、空気ポンプが作動し、第１バルブが開き、前置ろ過器を気体洗浄し、１０秒〜１２０秒続ける。空気ポンプが停止し、排水ポンプが作動し、前置ろ過器を水洗浄し、５秒〜２０秒続ける。排水ポンプが停止し、第１バルブが閉じ、空気ポンプが作動し、第２バルブが開き、主ろ過器を気体洗浄し、１０秒〜６０秒続ける。空気ポンプが停止し、排水ポンプが作動し、主ろ過器を水洗浄し、１０秒〜６０秒続ける。
または、空気ポンプが作動し、第１バルブが開き、前置ろ過器を気体洗浄し、１０秒〜１２０秒続ける。空気ポンプが停止し、排水ポンプが作動し、前置ろ過器を水洗浄し、５秒〜２０秒続ける。排水ポンプが停止し、第１バルブが閉じ、空気ポンプが作動し、主ろ過器を気体洗浄する。主ろ過器内部の水流は第２入口から排出され、５秒〜２０秒続けると、主ろ過器内部の水流はすべて押し出される。第２バルブが開き、水流は主ろ過器に戻り、１０秒〜６０秒続ける。第２バルブは開閉を数回繰り返すことができる。
さらにまたは、空気ポンプが作動し、第２バルブが開き、前置ろ過器および主ろ過器を同時に気体洗浄し、１０秒〜１２０秒続ける。第２バルブが閉じ、前置ろ過器および主ろ過器内部の水流は底部から排出され、５秒〜２０秒続けると、水流はすべて押し出される。第２バルブが開き、水流は主ろ過器に戻り、１０秒〜６０秒続ける。第２バルブは開閉を数回繰り返すことができる。空気ポンプが停止し、第２バルブが閉じ、排水ポンプが作動し、第１バルブが開き、前置ろ過器を水洗浄し、５秒〜２０秒続ける。第１バルブが閉じ、第２バルブが開き、主ろ過器を水洗浄し、１０秒〜６０秒続ける。
【００４８】
洗濯槽内に、洗濯水またはすすぎ水の濁度をリアルタイム測定する濁度測定装置が設けられる。濁度が設定値以下のとき、循環ろ過プログラムが起動し、そうでなければ、循環ろ過プログラムは起動しない。設定値が５００ＮＴＵである場合、５００ＮＴＵ以下のとき、循環ろ過プログラムを起動することができ、５００ＮＴＵより大きいとき、循環ろ過プログラムは起動しない。
【実施例】
【００４９】
実施例１
図２、図３、図４に示すように、本実施例の前記前置ろ過器６は外筒２２と、外筒２２の両端の上端カバー２０および下端カバー２１とを含む。外筒２２は中空の柱体であり、内部にフィルタ支持フレーム２３が設けられ、フィルタ支持フレーム２３の表面がフィルタ１７を覆うように設けられる。前置ろ過器６の上端カバー２０および下端カバー２１は締結構造により回転固定され、締結部分に緩み防止突起を有する。前置ろ過器６における各部材の接続部分には、いずれもガスケットが設置され、各管路が滞りなく、混流が起こらないことを保証する。前置ろ過器６のフィルタ１７の前部に第１入口７が設置され、フィルタ１７の前部に第１出口９が設置され、フィルタ１７の後部に第２出口１０が設置される。このうち入口は一端の端部カバーに位置し、出口はもう一端の端部カバーに位置する。使用するとき、前置ろ過器を垂直に据え置き、入口は下部に位置し、出口は上部に位置する。
【００５０】
下端カバー２１の端部にエアレーション装置１６が設置され、エアレーション装置１６は第３入口１３とフィルタ１７との間に位置する。該エアレーション装置１６は、前置ろ過器１の断面形状と相応する平板であり、本実施例においては環状の平板であり、該平板に複数の通気孔２５が均等に設けられる。エアレーション装置１６は空気ポンプ１４から送られる気体をフィルタ１７の周囲に均等に分布させることができ、フィルタを徹底的に洗浄し、死角がない。
【００５１】
実施例２
図１、図５に示すように、本実施例の前記洗浄方法は具体的に以下の通りである。空気ポンプ１４が作動し、第２バルブ１９が開く。空気ポンプ１４から生じる気体は、第３入口１３を通過して前置ろ過器６に進入し、第２出口１０から排出され、第２入口８を通過して主ろ過器５に進入し、第３出口１１から排出され、第２バルブ１９を通過して洗濯機排水管２６から排出される。気体は水中で気泡を産生し、気泡の運動、破裂または振動により、前置ろ過器６および主ろ過器５のフィルタを気体洗浄し、１０秒〜１２０秒続ける。その後、空気ポンプ１４が停止し、第２バルブ１９が閉じ、排水ポンプ４が作動し、第１バルブ１８が開き、水流は第１入口７を通過して前置ろ過器６に進入し、第１出口９から排出される。水流が洗い流すことにより、前置ろ過器６のフィルタ１７を水洗浄し、水流はろ過で生じた糸屑および顆粒の異物と、第１バルブ１８を通過して洗濯機排出管２６から排出され、５秒〜２０秒続ける。第１バルブ１８が閉じ、第２バルブ１９が開く。水流は第１入口７を通過して前置ろ過器６に進入し、第２出口１０から排出され、第２入口８を通過して主ろ過器５に進入し、第３出口１１から排出される。主ろ過器５のフィルタを水洗浄し、水流はろ過で生じた糸屑および顆粒の異物と第２バルブを通過して、洗濯機排水管から排出され、１０秒〜６０秒続ける。
【００５２】
実施例３
図１、図６に示すように、本実施例の前記洗浄方法は具体的に以下の通りである。空気ポンプ１４が作動し、第１バルブ１８が開く。空気ポンプ１４から生じる気体は、第３入口１３を通過して前置ろ過器６に進入し、第２出口１０から排出され、第１バルブ１８を通過して洗濯機排水管２６から排出される。気体は水中で気泡を産生し、気泡の運動、破裂または振動により、前置ろ過器６のフィルタ１７を気体洗浄し、１０秒〜１２０秒続ける。その後、空気ポンプ１４が停止し、排水ポンプ４が作動し、水流は第１入口７を通過して前置ろ過器６に進入し、第１出口９から排出され、水流が洗い流すことにより、前置ろ過器６のフィルタ１７を水洗浄する。水流はろ過で生じた糸屑および顆粒状の異物と、第１バルブ１８を通過して、洗濯機排水管２６から排出され、５秒〜２０秒続ける。排水ポンプ４が停止し、第１バルブ１８が閉じ、空気ポンプ１４が作動し、第２バルブ１９が開く。空気ポンプ１４から生じた気体が第３入口１３を通過して前置ろ過器６に進入し、第２出口１０から排出され、第２入口８を通過して主ろ過器５に進入し、第３出口１３から排出され、第２バルブ１９を通過して洗濯機排水管２６から排出される。気体は水中で気泡を産生し、気泡の運動、破裂または振動により、前置ろ過器６および主ろ過器５のフィルタを気体洗浄し、１０秒〜６０秒続ける。空気ポンプ１４が停止し、排水ポンプ４が作動し、水流は第１入口７を通過して前置ろ過器６に進入し、第２出口１０から排出され、第２入口８を通過して主ろ過器５に進入し、第３出口１１から排出される。主ろ過器５のフィルタを水洗浄し、水流はろ過で生じた糸屑および顆粒状の異物と第２バルブを通過して、洗濯機排水管から排出され、１０秒〜６０秒続ける。
【００５３】
実施例４
図１、図７に示すように、本実施例の前記洗浄方法は具体的に以下の通りである。空気ポンプ１４が作動し、第１バルブ１８が開く。空気ポンプ１４から生じる気体は、第３入口１３を通過して前置ろ過器６に進入し、第２出口１０から排出され、第１バルブ１８を通過して洗濯機排水管２６から排出される。気体は水中で気泡を産生し、気泡の運動、破裂または振動により、前置ろ過器６のフィルタ１７を気体洗浄し、１０秒〜１２０秒続ける。その後、空気ポンプ１４が停止し、排水ポンプ４が作動し、水流は第１入口７を通過して前置ろ過器６に進入し、第１出口９から排出され、水流が洗い流すことにより、前置ろ過器６のフィルタ１７を水洗浄する。水流はろ過で生じた糸屑および顆粒状の異物と、第１バルブ１８を通過して、洗濯機排水管２６から排出され、５秒〜２０秒続ける。排水ポンプ４が停止し、第１バルブ１８が閉じ、空気ポンプ４が作動し、主ろ過器５を気体洗浄する。主ろ過器内部の水流は第２入口から排出され、５秒〜２０秒続けると、主ろ過器内部の水流はすべて押し出される。第２バルブ１９が開き、水流は主ろ過器５に戻り、１０秒〜６０秒続ける。第２バルブは開閉を数回繰り返すことができ、水流が主ろ過器に数回出入りするのを制御する。
【００５４】
実施例５
図１、図８に示すように、本実施例の前記洗浄方法は具体的に以下の通りである。空気ポンプ１４が作動し、第２バルブ１９が開く。空気ポンプ１４から生じる気体は、第３入口１３を通過して前置ろ過器６に進入し、第２出口１０から排出され、第２入口８を通過して主ろ過器５に進入し、第３出口１１から排出され、第２バルブ１９を通過して洗濯機排水管２６から排出される。気体は水中で気泡を産生し、気泡の運動、破裂または振動により、前置ろ過器６および主ろ過器５のフィルタを気体洗浄し、１０秒〜１２０秒続ける。第２バルブ１９が閉じ、主ろ過器５を気体洗浄する。主ろ過器内部の水流は第２入口から排出され、５秒〜２０秒続けると、主ろ過器内部の水流はすべて押し出される。第２バルブ１９が開き、水流は主ろ過器５に戻り、１０秒〜６０秒続ける。第２バルブは開閉を数回繰り返すことができ、水流が主ろ過器５に数回出入りするのを制御する。空気ポンプ１４が停止し、第２バルブ１９が閉じ、排水ポンプ４が作動し、第１バルブ１８が開き、水流は第１入口７を通過して前置ろ過器６に進入し、第１出口９から排出される。水流が洗い流すことにより、前置ろ過器６のフィルタ１７を水洗浄し、水流はろ過で生じた糸屑および顆粒状の異物と第１バルブ１８を通過して洗濯機排水管２６から排出され、５秒〜２０秒続ける。第１バルブ１８が閉じ、第２バルブ１９が開き、水流は第１入口７を通過して前置ろ過器６に進入し、第２出口１０から排出され、第２入口８を通過して主ろ過器５に進入し、第３出口１１から排出され、主ろ過器５のフィルタを水洗浄する。水流はろ過で生じた糸屑および顆粒状の異物と、第２バルブを通過して洗濯機排水管から排出され、１０秒〜６０秒続ける。
【００５５】
実施例６
図１、図９および図１０に示すように、一体化設計を採用した本発明の節水洗濯機は、前置ろ過器６および主ろ過器５を接着、溶接またはその他の方式で接続することにより、１つの統合体となり、一体化モジュールが形成される。取り付けるとき、直接該モジュールを既存の洗濯機に取り付けるため、取付を簡略化し、占用空間を減少させた。具体的に以下の技術案を採用した。
本発明の節水洗濯機において、前置ろ過器６に第１入口７および第２出口１０がそれぞれ設置され、主ろ過器５に第２入口８および第４出口１２がそれぞれ設置される。第１入口７は排水ポンプ４に接続され、第２出口１０は第２入口８に接続され、第４出口１２は外槽の給水口３に接続される。前記第１入口７は排水ポンプ４および前置ろ過器６のフィルタ内部と通じ、第２出口１０および第２入口８はそれぞれ、前置ろ過器６のフィルタ外部および主ろ過器５のフィルタ外部と通じ、第４出口１２は主ろ過器５のフィルタ内部および洗濯槽内部と通じる。前記前置ろ過器６および主ろ過器５は一体化設計であり、前置ろ過器６の第２出口１０は主ろ過器５の第２入口８と通じる。
【００５６】
本発明の好ましい実施方式として、前記前置ろ過器６は上端カバー２０および下端カバー２１を含み、フィルタは上端カバー２０と下端カバー２１との間に設置される。前記上端カバー２０は主ろ過器５の底部と一緒に接続され、前記第２出口１０は上端カバー２０に複数含み、かつ均等に設置される。前記第１入口７は下端カバー２１に設置され、第２入口８は主ろ過器の底部に設置される。前記第２出口１０は管路を経ずに接続されて、直接第２入口８に通じる。
【００５７】
本発明の前置ろ過器６および主ろ過器５は一体化の構造設計を採用しており、具体的には前置ろ過器６の上端カバー２０を主ろ過器５の下端と一緒に接続する。具体的に、接着または溶接またはその他の方式により、同時に前置ろ過器６の第２出口１０および主ろ過器５の第２入口８を、管路を経ずに接続し、直接結合する。前置ろ過器６でろ過した後のろ過水を、直接第２出口１０を経由して主ろ過器５のフィルタ内部に進入させ、さらなるろ過を行うことを実現する。複数の第２出口１０を設置して、主ろ過器５への給水量を増やすことができ、ろ過の効率が増大した。
【００５８】
本発明の節水洗濯機の前置ろ過器６および主ろ過器５は、一体化の構造設計を採用する。前置ろ過器６および主ろ過器５を１つの統合体モジュールに設計し、占用空間を大幅に減少させただけでなく、管路をさらに使用して前置ろ過器６および主ろ過器５を接続する必要はない。このように一方では管路を節約し、コストを低下させることができ、もう一方では取付過程を簡略化し、動作効率を高めた。
【００５９】
本発明の節水洗濯機の前置ろ過器６および主ろ過器５は、一体化の構造設計を採用しており、これにより前置ろ過器６の第２出口１０と主ろ過器５の第２入口８とが重なり合い、管路による接続を必要としない。このように、前置ろ過器６および主ろ過器５を気体洗浄するとき、空気ポンプ１４から生じる気流が接続管路中で減衰し、フィルタに対する清浄効果が不良になる問題を効果的に解決することができる。
【００６０】
さらに、前記前置ろ過器６に、洗濯機排水管２６と接続される第１出口９がさらに設置され、前記主ろ過器５に、洗濯機排水管２６と接続される第３出口１１が設置される。前記第１出口９は前置ろ過器６のフィルタ内部および洗濯機排水管２６と通じ、第３出口１１は主ろ過器５のフィルタ内部および洗濯機排水管２６と通じる。
【００６１】
本発明の好ましい実施方式として、図１に示す３つのバルブ、すなわち第１バルブ１８、第２バルブ１９および第３バルブ３０を取り除き、内部に複数の通路を有する１つの切替バルブ２７に変更する。具体的に、前記循環管路に切替バルブ２７を設置し、切替バルブは第１出口９、第３出口１１および洗濯機排水管２６とそれぞれ通じる。前記第１出口９、第３出口１１および洗濯機排水管２６は、いずれも切替バルブ２７に接続される。前記切替バルブ２７は、第１出口９と洗濯機排水管２６の出口との間に形成される前置ろ過器の汚水排出通路、ならびに第３出口１１と洗濯機排水管２６の出口との間に形成される主ろ過器の汚水排出通路を、それぞれ開く／閉じることができる。
【００６２】
さらに、前記外槽１に噴射口２８がさらに設置され、前記切替バルブ２７は噴射口２８とも接続される。前記切替バルブ２７は、第１出口９と噴射口２８との間に形成される噴射通路を開く／閉じることができる。
【００６３】
本発明の節水洗濯機は、第１出口９、第３出口１１、第４出口１２、外槽の噴射口２８、および洗濯機排水管２６をすべて接続し、複数の通路を有する１つの切替バルブ２７を採用し、図１に設置される第１バルブ１８、第２バルブ１９、および第３バルブ３０の３つのバルブの代わりに使用した。切替バルブ２７を制御することにより、様々な通路の開／閉を実現し、取付空間および組立過程を減少させた。また制御しやすく、組立コストおよび制御回路のコストを節約した。
【００６４】
本発明の好ましい実施方式として、本発明の前記切替バルブ２７はボールバルブであり、前記ボールバルブ内部に複数の通路が設置される。基本的に、第１出口９および洗濯機排水管２６と通じる前置ろ過器の汚水排出通路（主排水通路）と、第３出口および洗濯機排水管２６と通じる主ろ過器の汚水排出通路と、第１出口９および噴射口２８と通じる噴射通路と、すべて閉じた状態の循環ろ過通路とが設置される。プログラムがステッピングモータの回転を制御し、さらには制御ボールの回転を制御することにより、設定した通路が選択される。また、ボールバルブの各通路が同じ状態で、１つだけ開くことができる。
【００６５】
本発明は、前置ろ過器６および主ろ過器５の一体化構造により、節水モジュールを剛性接続させることができ、占用空間を最小化し、管路の使用を最大限節約する。切替バルブ２７の使用により、３つのバルブを代替することができ、２つの経路の電気制御および回路の最適化を減少させる。
【００６６】
以下、節水洗濯機の各動作過程について説明する。
循環ろ過過程：切替バルブ２７をすべて閉じた状態に制御し、排水ポンプ４が作動する。外槽１内の洗濯／すすぎ水は管路を経過して前置ろ過器６に流入し、前置ろ過器６でろ過されると、洗濯／すすぎ水の大きい顆粒の異物、汚れは基本的にろ過で除かれる。ろ過後の洗濯／すすぎ水はフィルタの外側から主ろ過器５に進入し、その後主ろ過器５でろ過されると、洗濯／すすぎ水は清水に変わり、第４出口１２から流出する。管路を経過して外槽１内に戻り、これにより槽内の洗濯／すすぎ水は次第にきれいになり、常に清水中で洗濯／すすぎを行った感覚を人に与える。
【００６７】
排水過程：切替バルブを前置ろ過器の汚水排出通路（主排水通路）に制御し、排水ポンプ４が作動し、水を洗濯機から排出する。
【００６８】
噴射過程：切替バルブ２７を噴射通路に制御し、排水ポンプ４が作動する。槽内の水を管路から前置ろ過器６に流入させ、その後前置ろ過器６の第１出口９を経過し、噴射口２８から洗濯機の槽内に戻り、噴射循環過程が完了する。
【００６９】
前置ろ過器の洗浄過程：通過、循環後の前置ろ過器６内は、留まった顆粒および汚れなどがフィルタの内壁に付着している。切替バルブ２７を前置ろ過器６の汚水排出通路（主排水通路）に制御する。前置ろ過器６の下端カバー２１に第３入口１３が設置され、空気ポンプ１４が空気を送ることにより、気体は前置ろ過器６の下端カバー２１のエアレーション装置１６を経過して均等に分布される。気体が前置ろ過器６のフィルタを経過して振動し、フィルタ上の顆粒および汚れをフィルタから剥離させる。その後排水ポンプ４が作動し、剥離した顆粒および汚れを洗濯機から排出する。
【００７０】
主ろ過器の洗浄過程：通過、循環後の主ろ過器５内は、留まった顆粒および汚れなどが主ろ過器のフィルタの外壁に付着している。切替バルブ２７を主ろ過器の汚水排出通路に制御する。空気ポンプ１４が空気を送ることにより、気体は前置ろ過器を経過して主ろ過器に達する。フィルタ上の顆粒および汚れをフィルタから剥離させ、その後排水ポンプ４が作動し、剥離した顆粒および汚れを洗濯機から排出する。
【００７１】
本発明の好ましい実施方式として、前記前置ろ過器６の第１入口７部分に、汚水が逆流するのを防止することができる逆流防止装置が設置される。好ましくは、前記逆流防止装置は逆流防止ボール２９であり、逆流防止ボール２９の直径は第１入口の直径より大きい。逆流防止ボールの密度は水の密度より大きく、好ましくは、逆流防止ボールの密度は水の密度の１〜１．５倍である。
【００７２】
図１１に示すのは、本発明の洗濯機の制御方法であり、以下の工程を含む。
工程Ｓ１、プログラムを起動、開始する。
工程Ｓ２、プログラムを選択し、給水、洗濯を開始する。
工程Ｓ３、切替バルブを前置ろ過器の汚水排出通路（主排水通路）に切り替え、排水、脱水過程を実行する。
工程Ｓ４、給水し、すすぎを行う。
工程Ｓ５、切替バルブを全て閉じる状態に切り替え、循環ろ過通路が開く。
工程Ｓ６、排水ポンプＰ１が作動し、循環ろ過過程を実行する。
工程Ｓ７、切替バルブを前置ろ過器の汚水排出通路（主排水通路）に切り替える。
工程Ｓ８、空気ポンプＰ２が作動し、前置ろ過器を気体洗浄する。
工程Ｓ９、排水ポンプＰ１が作動し、前置ろ過器を水洗浄する。
工程Ｓ１０、切替バルブを主ろ過器の汚水排出通路に切り替える。
工程Ｓ１１、空気ポンプＰ２が作動し、主ろ過器を気体洗浄する。
工程Ｓ１２、排水ポンプＰ１が作動し、主ろ過器を水洗浄する。
工程Ｓ１３、切替バルブを前置ろ過器の汚水排出通路に切り替える。
工程Ｓ１４、排水、脱水する。
工程Ｓ１５、給水し、通常のすすぎを行う。
工程Ｓ１６、排水、脱水する。
工程Ｓ１７、終了する。
【００７３】
以上の記載は本発明の好ましい実施方式に過ぎない。当業者は、本発明の原理を逸脱しない前提の下、さらに複数の変形および改良を行うことができるが、これも本発明の保護範囲とみなすべきであると指摘しなければならない。
【符号の説明】
【００７４】
１  外槽
２  外槽の排水口
３  外槽の給水口
４  排水ポンプ
５  主ろ過器
６  前置ろ過器
７  第１入口
８  第２入口
９  第１出口
１０  第２出口
１１  第３出口
１２  第４出口
１３  第３入口
１４  空気ポンプ
１５  チェックバルブ
１６  エアレーション装置
１７  フィルタ
１８  第１バルブ
１９  第２バルブ
２０  上端カバー
２１  下端カバー
２２  外筒
２３  フィルタ支持フレーム
２５  通気孔
２６  洗濯機排水管
２７  切替バルブ
２８  噴射口
２９  逆流防止ボール
３０  第３バルブ
【図１】
2017502736.tif 000003
【図２】
2017502736.tif 000004
【図３】
2017502736.tif 000005
【図４】
2017502736.tif 000006
【図５】
2017502736.tif 000007
【図６】
2017502736.tif 000008
【図７】
2017502736.tif 000009
【図８】
2017502736.tif 000010
【図９】
2017502736.tif 000011
【図１０】
2017502736.tif 000012
【図１１】
2017502736.tif 000013
【国際調査報告】
2017502736.tif 000014
2017502736.tif 000015
2017502736.tif 000016
2017502736.tif 000017